(57)【要約】【課題】  装置本体の小型化を実現しつつ、構成の簡略化及び操作性を向上することができる画像形成装置を提供する。【解決手段】  プラテン１３を有し原稿３４を載置する原稿台１２、原稿３４を押圧し固定する圧板１１、原稿３４を搬送する第１の原稿搬送駆動ローラ１４および第２の原稿搬送駆動ローラ１５、第１の原稿搬送駆動ローラ１４および第２の原稿搬送駆動ローラ１５を駆動させる原稿搬送駆動手段、原稿３４を読み取る読取装置３３を有する画像読取部１と、記録紙２４を搬送する記録紙搬送ローラ対２６、記録紙２４に画像を形成するインクジェット記録ヘッド２８を有する画像形成部２と、を備えた画像形成装置であって、第１の原稿搬送駆動ローラ１４および第２の原稿搬送駆動ローラ１５、および原稿搬送駆動手段が、原稿台１２に配置されることを特徴とする画像形成装置。【選択図】        図１
2006217352.tif 000002
【特許請求の範囲】
【請求項１】
プラテンを有し原稿を載置する原稿台、原稿を押圧し固定する圧板、原稿を搬送する原稿搬送手段、原稿搬送手段を駆動させる原稿搬送駆動手段、原稿を読み取る画像読取体を有する画像読取手段と、
記録媒体を搬送する記録媒体搬送手段、記録媒体に画像を形成する画像形成体を有する画像形成手段と、
を備えた画像形成装置であって、
前記原稿搬送手段および前記原稿搬送駆動手段が、前記原稿台に配置されることを特徴とする画像形成装置。
【請求項２】
前記原稿搬送手段が、前記プラテンの長手端部の外側に配置され、
前記プラテンの長手方向と、前記原稿搬送手段により搬送される原稿の搬送方向とが垂直であることを特徴とする請求項１に記載の画像形成装置。
【請求項３】
前記プラテンが、前記画像形成手段により画像形成可能な最大記録媒体サイズより小さいサイズであることを特徴とする請求項１または２に記載の画像形成装置。
【請求項４】
前記原稿搬送手段により搬送される原稿の搬送方向と、前記記録媒体搬送手段により搬送される記録媒体の搬送方向とが、平行であることを特徴とする請求項１ないし３のいずれか一項に記載の画像形成装置。
【請求項５】
前記画像読取手段が読取制御手段を有し、
前記読取制御手段が、前記原稿のサイズが前記プラテンのサイズ以下の場合には、前記原稿搬送手段の駆動を停止するように制御することを特徴とする請求項１ないし４のいずれか一項に記載の画像形成装置。
【請求項６】
前記読取制御手段が、前記原稿のサイズが前記プラテンのサイズより大きい場合には、原稿の前記プラテンに載置された部分を前記画像読取体によって読み取り、続いて前記原稿搬送手段によって前記原稿を搬送し、前記原稿の残りの部分を前記画像読取体によって読み取ることで、原稿を分割して読み取るように制御することを特徴とする請求項１ないし５のいずれか一項に記載の画像形成装置。
【請求項７】
前記画像読取手段が、画像情報処理手段を有し、
前記読取制御手段が、原稿を分割して読み取る場合に、分割された部分原稿の一部を重複して読み取るように制御し、
前記画像情報処理手段が、前記重複して読み取られる部分を照合して全体画像を合成することを特徴とする請求項６に記載の画像形成装置。
【請求項８】
前記原稿搬送手段が、前記圧板が開放状態のときに前記原稿台より下方に埋没し、前記圧板が閉鎖状態のときに前記原稿台より上方に突出することを特徴とする請求項１ないし７のいずれか一項に記載の画像形成装置。
【請求項９】
前記原稿搬送駆動手段が、原稿搬送駆動源と、前記原稿搬送駆動源の駆動力を前記原稿搬送手段に伝達する原稿搬送駆動系とを有し、
前記原稿搬送駆動系が、前記圧板が開放状態のときに前記原稿搬送駆動源からの駆動力が遮断され、前記圧板が閉鎖状態のときに前記原稿搬送駆動源からの駆動力が伝達されることを特徴とする請求項１ないし８のいずれか一項に記載の画像形成装置。
【請求項１０】
前記画像読取手段が、前記原稿搬送手段を覆うカバー部材を有し、
前記カバー部材が、前記原稿台に配置され、
前記カバー部材が、前記圧板が開放状態のときに前記原稿搬送手段を被覆し、前記圧板が閉鎖状態のときに前記原稿搬送手段を露出させることを特徴とする請求項１ないし９のいずれか一項に記載の画像形成装置。
【請求項１１】
前記画像読取手段が、原稿の位置合わせを可能にする原稿セットガイド手段を有し、
前記原稿セットガイド手段が、前記原稿台に配置され、
前記原稿セットガイド手段が、前記圧板が開放状態のときに前記原稿台より上方に突出し、前記圧板が閉鎖状態のときに前記原稿台より下方に埋没することを特徴とする請求項１ないし１０のいずれか一項に記載の画像形成装置。
【請求項１２】
前記画像読取手段が上部に、前記画像形成手段が下部に配置されることを特徴とする請求項１ないし１１のいずれか一項に記載の画像形成装置。
【発明の詳細な説明】
【技術分野】
【０００１】
本発明は、画像形成装置に関し、特に原稿台と圧板を有する画像読取部と画像形成部とを含むフラットベット型画像形成装置に関するものである。
【背景技術】
【０００２】
現在、画像形成装置としての家庭用のプリンタやファクシミリ装置においては、記録紙を搬送させながら１ライン毎に画像を形成する形式の画像形成部がそのコンパクト性から多く搭載されており、Ａ４サイズの記録紙に画像形成が可能で、かつ本体のサイズがＡ４サイズとほぼ同じかあるいはＡ４サイズよりも小さいプリンタ等が提供されている。
【０００３】
一方、画像読取部に関しては、写真やはがきなど大切な原稿に傷やローラ跡などが残るのを防ぐという目的から、固定した画像読取体に対して原稿を搬送させるシート搬送型画像読取部よりも、原稿台のプラテン上に原稿を載置して、プラテンの下部に配置された画像読取体を移動させるフラットベット型画像読取部が望まれている。このため、このようなフラットベット型画像読取部においては、Ａ４サイズの原稿を読み取るためにＡ４サイズ以上のサイズのプラテンが必要となり、本体のサイズはＡ４サイズよりも大きくなってしまう。
【０００４】
したがって、本体上部にフラットベット型画像読取部、本体下部に画像形成部を配置したフラットベット型画像形成装置においては、画像形成部のコンパクト性が活用されていない状況となっている。
【０００５】
ところで家庭での画像読取装置の使用を考えた場合、シート搬送を避けたい原稿であるところの写真やはがき等はＡ４サイズよりも小さいサイズであることが多い。一方、読み取り対象となる画像としてはＡ４サイズの原稿も多い。
【０００６】
このため、画像形成部のコンパクト性を活用できるＡ４サイズと同等かあるいはＡ４サイズよりも小さいサイズであり、かつＡ４サイズの原稿の読取も可能なフラットベット型画像読取部を有するフラットベット型画像読取装置が要求されている。
【０００７】
これに対し、従来のフラットベット型画像形成装置として、原稿台上部に配置された圧板ユニット内にベルト部材とベルトを駆動する原稿搬送駆動系を配置し、原稿台に載置された原稿を原稿搬送駆動系によって駆動させたベルト部材により搬送する機構が搭載されたものが提供されている（例えば、特許文献１参照）。この機構を利用することにより原稿台サイズより大きなサイズの原稿を読み取ることが可能である。
【特許文献１】特開平８−３２７６７号公報
【発明の開示】
【発明が解決しようとする課題】
【０００８】
しかしながら、上記従来例では圧板ユニット内にベルト部材と原稿搬送駆動系が配置されているため、圧板ユニットが大きく重くなってしまい装置操作性が良くないという問題があった。また駆動系に関しても、原稿台内部にある画像読取体駆動系と圧板ユニット内にある原稿搬送駆動系との、２種類の駆動系を設ける必要があり、画像読取部の駆動系が複雑になってしまうという問題があった。
【０００９】
本発明は上記の問題点に鑑みて為されたものであり、その目的とする処は、装置本体の小型化を実現しつつ、構成の簡略化及び操作性を向上することができる画像形成装置を提供することにある。
【課題を解決するための手段】
【００１０】
本発明は、下記の技術的構成により前記目的を達成できたものである。
【００１１】
プラテンを有し原稿を載置する原稿台、原稿を押圧し固定する圧板、原稿を搬送する原稿搬送手段、原稿搬送手段を駆動させる原稿搬送駆動手段、原稿を読み取る画像読取体を有する画像読取手段と、記録媒体を搬送する記録媒体搬送手段、記録媒体に画像を形成する画像形成体を有する画像形成手段と、を備えた画像形成装置であって、前記原稿搬送手段および前記原稿搬送駆動手段が、前記原稿台に配置されることを特徴とする画像形成装置。
【発明の効果】
【００１２】
本発明によれば、装置本体の小型化を実現しつつ、構成の簡略化及び操作性を向上することができる画像形成装置を提供することができる。
【発明を実施するための最良の形態】
【００１３】
以下に本発明を適用したフラットベット型画像形成装置の実施例について図面を参照して説明する。
【実施例１】
【００１４】
図１は実施例１に係る画像形成装置の全体斜視図である。まず図１を用いて装置の全体構成を説明する。
【００１５】
１は画像読取手段としての画像読取部、２は画像形成手段としての画像形成部であり、画像読取部１は画像形成部２の上部に配置されている。画像読取部１は圧板１１と原稿台１２とを有し、原稿台１２にはプラテン１３と原稿搬送手段としての第１の原稿搬送駆動ローラ１４および第２の原稿搬送駆動ローラ１５が配設され、第１の原稿搬送駆動ローラ１４および第２の原稿搬送駆動ローラ１５はプラテン１３の外側に、両ローラの軸が平行になるように配置されている。
【００１６】
圧板１１には第１の原稿搬送従動コロ１７と第２の原稿搬送従動コロ１８が配置されている。圧板１１はヒンジ１９を回転中心として原稿台１２に対して回動自在に取り付けられており、圧板１１を原稿台１２に対して閉鎖状態にしたときに、第１の原稿搬送駆動ローラ１４と第１の原稿搬送従動コロ１７、また第２の原稿搬送駆動ローラ１５と第２の原稿搬送従動コロ１８とが、それぞれ当接するように構成されている。またヒンジ１９は、その回動角度が、圧板１１を原稿台１２に対して開放状態にしたときに、装置使用者が原稿台１２の上に容易に原稿を載置できるようにするために、圧板１１と原稿台１２との間に充分な空間が確保されるように構成されている。また、原稿台１２のヒンジ１９と反対側の端部付近には操作部１６が配設されている。
【００１７】
次に図２、図３を用いて画像形成部の構成を説明する。図２は本実施例に係る画像形成装置の画像形成部の概略断面図（図１において矢印Ａ方向から見た断面図）であり、図３は画像形成部の平面断面図である。まず図２を用いて記録紙の搬送動作について説明する。
【００１８】
記録紙載置台２１に記録紙束２２が載置されると、図示しない記録紙有無検知センサにより画像形成装置の制御部へ信号が送られ、画像形成装置は記録紙有りの状態であることを認識する。次に図示されていない記録紙駆動系が作動し、記録紙束２２は記録紙分離ローラ２３により一枚ずつ分離される。記録紙分離ローラ２３により分離された記録媒体としての記録紙２４は、記録紙搬送路２５に対して互いに対向した位置に配置された記録紙搬送ローラ２６ａ、記録紙搬送コロ２６ｂからなる記録紙搬送手段としての記録紙搬送ローラ対２６まで搬送され、さらに記録紙搬送ローラ対２６により記録紙搬送路２５上を画像記録位置２７まで搬送される。この位置で記録紙２４の搬送は一旦停止され、記録紙２４は画像記録位置２７に保持される。
【００１９】
画像記録位置２７において記録紙搬送路２５に対して上方に配置された画像形成体としてのインクジェット記録ヘッド２８の印字部吐出口からインクが吐出され、記録紙２４の画像記録面にインク滴が付着することにより画像が形成される。１ライン分の画像形成が終了すると記録紙搬送ローラ対２６が再び回転し、記録紙２４は図２において左方向に搬送され、記録紙２４が一定量搬送されると再び記録紙２４の搬送が停止され、次ラインの画像形成が行われる。
【００２０】
以上の工程を繰り返して記録紙１枚分の画像形成が終了すると、記録紙２４は記録紙搬送路２５に対して互いに対向した位置に配置された記録紙排出ローラ２９ａ、記録紙排紙コロ２９ｂからなる記録紙排紙ローラ対２９により記録紙排出口３０から機外に排出される構成となっている。
【００２１】
次に図３を用いて画像形成部２の占有設置面積について説明する。図３に示した記録紙２４はＡ４サイズであるとする。図２を用いて説明したように、記録紙２４は記録紙搬送ローラ２６ａおよび記録紙排紙ローラ２９ａにより搬送されながら、インクジェット記録ヘッド２８の印字部吐出口からのインクの吐出により印字面に画像が形成される。この際、インクジェット記録ヘッド２８は記録紙２４の搬送方向垂直方向（以下記録紙幅方向と呼ぶ）に往復運動することにより記録紙２４へのインク吐出を行う。
【００２２】
したがって、記録紙２４の幅方向の印字可能領域を大きく取るためにはインクジェット記録ヘッド２８の移動領域は図３における２８から２８’までとなり、記録紙幅寸法よりも大きくなる。また画像形成部２内には概念的に示した記録紙搬送駆動系３１がインクジェット記録ヘッド移動領域外に配置されている。このため画像形成部２の記録紙幅方向の寸法は記録紙幅寸法よりもさらに大きくなっている。以上より図３に示すように、画像形成部２の記録紙搬送方向寸法は記録紙サイズＡ４よりも小さいが、記録紙幅方向寸法は記録紙サイズＡ４よりも大きくなり、画像形成部２の占有設置面積としてはほぼＡ４サイズと等しくなっている。
【００２３】
次に図４〜図８を用いて画像読取部の構成を説明する。図４、図５、図７は本実施例に係る画像形成装置の画像読取部の概略断面図（図１において矢印Ａ方向から見た断面図）であり、図４は原稿を移動させない場合の断面図、図５は原稿を移動させる場合の移動前の断面図、図７は原稿を移動させる場合の移動後の断面図である。図６、図８は画像読取部の平面断面図であり、図６は原稿を移動させる場合の移動前の平面断面図、図８は原稿を移動させる場合の移動後の平面断面図である。
【００２４】
まず図４を用いて原稿を移動させない場合の読取動作について説明する。
【００２５】
まずプラテン１３の上面に原稿３２を載置する。ここでプラテン１３の面積はＡ５サイズより若干大きい面積となっている。家庭内で扱う原稿の内、表面や裏面に傷やローラ跡が付くのを避けるという観点から装置内を搬送させることが好ましくない写真やはがきなどの原稿は、Ａ５サイズ以下の大きさの場合が多い。よって、特に家庭での使用を考えた場合のプラテンの大きさとしては充分な面積となっている。もちろん家庭内での使用に限定されないことはいうまでもない。
【００２６】
次に圧板１１を原稿台１２に対して閉鎖状態とする。こうすることによりプラテン１３上に載置された原稿３２は圧板１１の重さにより読取動作中に位置がずれることのない構成となっている。次に図１において示した操作部１６上のキーを押下することにより、プラテン１３の下部に配置された画像読取体としての読取装置３３が図４において左右方向に移動することにより原稿３２の画像を読み取る構成となっている。
【００２７】
ここで、読取装置３３の移動領域は図４の３３から３３′までとなっており、プラテン１３のほぼ全域を読み取ることが可能である。また、読取装置３３の移動は原稿台１２の内部に配置された、図示しない読取装置駆動系により行われる構成となっている。また、原稿台１２上のプラテン１３領域外に図示しない原稿検知センサが配置されており、この原稿検知センサにより画像形成装置はプラテン１３上に載置された原稿のサイズがプラテン１３のサイズ以内であることを認識し、第１の原稿搬送駆動ローラ１４および第２の原稿搬送駆動ローラ１５は回転しないよう制御される。この制御は、読取制御手段としての不図示の読取制御装置により行われる。
【００２８】
次に図５から図８を用いて原稿を移動させる場合の読取動作について説明する。まずプラテン１３の面積よりも大きい原稿３４をプラテン１３の上面に載置する（図５、図６）。仮に原稿３４のサイズをＡ４サイズとする。ここでプラテン１３の第２の原稿搬送駆動ローラ１５側の端部（以後プラテンの下流側端部と呼ぶ）付近には原稿セットガイド手段としてのストッパ部材３５が配置されており、装置使用者は原稿３４をセットする際に、原稿３４の先端をプラテン１３の下流側端部付近に容易にセットできる。
【００２９】
次に圧板１１を原稿台１２に対して閉鎖状態とする。このとき後述のように、圧板１１の閉鎖動作に連動してストッパ部材３５は原稿台１２の上面より下部に埋没する構成となっている。また、原稿台１２上のプラテン領域外に図示しない原稿検知センサが配置されており、この原稿検知センサにより画像形成装置はプラテン１３上に載置された原稿のサイズがプラテン１３のサイズよりも大きいことを認識する。また圧板１１を閉鎖状態にしたとき、Ａ４サイズの原稿３４は図５に示すように第１の原稿搬送駆動ローラ１４と第１の原稿搬送従動コロ１７により挟持される。次に操作部１６上のキーを押下することにより、プラテン１３の下部に配置された読取装置３３が図５における左右方向に移動することによりＡ４サイズ原稿３４の前半の画像を読み取る。
【００３０】
Ａ４サイズ原稿３４の前半の画像読取動作が終了すると、第１の原稿搬送駆動ローラ１４と第２の原稿搬送駆動ローラ１５が回転し、Ａ４サイズ原稿３４を図５において左方向（図６において下方向）に搬送する。Ａ４サイズ原稿３４は、当初は第１の原稿搬送駆動ローラ１４と第１の原稿搬送従動コロ１７により、次に第１の原稿搬送駆動ローラ１４と第１の原稿搬送従動コロ１７および第２の原稿搬送駆動ローラ１５と第２の原稿搬送従動コロ１８により、最後には第２の原稿搬送駆動ローラ１５と第２の原稿搬送従動コロ１８により挟持されながら搬送されて、図７、図８に示すように、原稿後端がプラテン１３の第１の原稿搬送駆動ローラ１４側の端部（以後プラテンの上流側端部と呼ぶ）付近に到達したところで搬送は停止される。なお、画像形成装置は図示しない原稿検知センサにより、原稿３４の後端がプラテン１３の上流側端部に達したことを認識する。
【００３１】
原稿搬送が停止されると、読取装置３３が再び図７において左右方向に移動することによりＡ４サイズ原稿３４の後半の画像を読み取る。
【００３２】
上記のような手順でプラテンサイズよりも大きなサイズの原稿の画像読取を行う構成となっている。この読取動作は、上記の読取制御装置により制御される。
【００３３】
なお、圧板１１には第１および第２の原稿搬送従動コロ１７、１８が配設されているが、原稿搬送駆動源や原稿搬送駆動系は配設されておらず、圧板として簡単な構成で軽量となっている。このため、原稿を原稿台に載置する場合の圧板開閉の操作が容易となり、また圧板開閉時の回転中心であるヒンジ１９も軽量対応の簡単な構成となっている。また例えば原稿搬送駆動源は原稿台内部、原稿搬送駆動系の一部は圧板内部に配置される構成のように、原稿搬送駆動源と原稿搬送駆動系とが、また原稿搬送駆動系自体が原稿台内部と圧板内部とに分割されることもなく、簡単な構成での配置が可能となっている。
【００３４】
次に、前半の画像と後半の画像の合成に関して説明する。図６において画像読取部１はＡ４サイズ原稿３４の、前半のＡ５サイズ部分３４ａの画像の読み取りを行うが、このとき前半Ａ５サイズ部分３４ａに加えて重複部分３４ｂの画像読み取りも行う。すなわち、Ａ４サイズのちょうど半分であるＡ５サイズよりも若干大きい面積の画像を読み取る。このためプラテン１３のＡ４サイズ原稿３４の搬送方向垂直方向（以下原稿幅方向と呼ぶ）はＡ５サイズ長手寸法（Ａ４サイズ短手寸法）とほぼ等しくなっているが、原稿搬送方向はＡ５サイズ短手寸法よりも若干大きい寸法になっている。
【００３５】
次に図８において画像読取部１はＡ４サイズ原稿３４の後半のＡ５サイズ部分３４ｃの画像の読み取りを行うが、このとき後半Ａ５サイズ部分３４ｃに加えて重複部分３４ｂの画像読み取りも行う。そして前半Ａ５サイズ読取時の重複部分３４ｂの画像データと、後半半Ａ５サイズ読取時の重複部分３４ｂの画像データとを照合することにより、Ａ４サイズ原稿３４の、原稿を搬送する前に読み取った画像である前半の画像と、原稿を搬送させた後に読み取った画像である後半の画像とを精度良く合成することが可能となる。この画像合成は、画像情報処理手段としての不図示の画像情報処理装置により行われる。
【００３６】
次に図６、図８を用いて画像読取部１の占有設置面積について説明する。図６、図８に示した原稿３４をＡ４サイズとする。図５から図８を用いて上に説明したように、プラテン１３は、原稿幅方向はＡ５サイズ長手寸法（Ａ４サイズ短手寸法）とほぼ等しく、原稿搬送方向はＡ５サイズ短手寸法よりも若干大きい寸法になっている。ここで、原稿台１２内部のプラテン１３の長手端部（図６、図８における上下端部）の内、上流側端部の外側には第１の原稿搬送駆動ローラ１４が、下流側端部の外側には第２の原稿搬送駆動ローラ１５および後述するストッパ部材３５が配置され、プラテン１３の長手方向、第１の原稿搬送駆動ローラ１４、第２の原稿搬送駆動ローラ１５およびストッパ部材３５と原稿搬送方向とが垂直になっている。
【００３７】
このため、画像読取部１の原稿搬送方向寸法は、Ａ５サイズ短手寸法よりも大きく、Ａ４サイズ短手寸法とほぼ同様の寸法となっている。一方、原稿台１２のプラテン１３の短手端部の外側には、概念的に示した原稿搬送駆動ローラ駆動系３６や不図示の原稿搬送駆動ローラ１４、１５の退避機構や圧板１１のヒンジ機構１９が配置されている。このため、画像読取部１の原稿搬送幅方向は、Ａ５サイズ長手寸法よりも大きく、Ａ４サイズ長手寸法とほぼ同様の寸法となっている。したがって、画像読取部１の占有設置面積としてはほぼＡ４サイズと等しくなっている。
【００３８】
以上のように、画像読取部１、画像形成部２は共にほぼＡ４サイズの占有設置面積を必要とする構成となっている。ここで図１に示すように、本実施例に係る画像形成装置は、画像読取部１を本体上方に、画像形成部２を本体下方に配置しており、画像読取部１における原稿搬送方向と画像形成部２における記録紙搬送方向とが平行となっている。このため画像読取部全体の長手方向と画像形成部全体の長手方向が平行になり、画像形成装置全体としての占有設置面積を小さくして、画像形成装置および画像形成装置使用空間の省スペース化を実現している。
【００３９】
次に、圧板開閉に伴い、ストッパ部材３５が退避する構成について説明する。本実施例に係る画像形成装置は、図１に示すように圧板１１の開放時にはストッパ部材３５は原稿台１２の上面より上方に突出しているが、図５に示すように圧板１１の閉鎖時にはストッパ部材３５は原稿台１２の上面より下方に埋没する構成となっている。
【００４０】
図９、図１０にストッパ部材退避機構を示す。４１は第１のプランジャー、４２はストッパレバー、４２ａはストッパレバー回転中心、４２ｂはストッパレバー／シャフト当接部、４３はストッパシャフト、４３ａはストッパシャフト回転中心である。図９は圧板１１閉鎖時のストッパ部材３５の位置を示し、図１０は圧板１１開放時のストッパ部材３５の位置を示す。
【００４１】
まず、圧板１１閉鎖時は図９に示すように第１のプランジャー４１がＯＦＦ状態となり、ストッパ部材３５の上端は原稿台１２の上面より下方に埋没している。次に、圧板１１を開放すると図示しない圧板開閉センサがＯＮとなり、図示しない制御手段により第１のプランジャー４１がＯＮ状態となる。第１のプランジャー４１がＯＮ状態となると、図１０に示すように第１のプランジャー４１によりストッパレバー４２が図１０において右方向に引っ張られ、ストッパレバー４２はストッパレバー回転中心４２ａを中心にして時計方向に回転する。するとストッパシャフト４３はストッパレバー／シャフト当接部４２ｂにおいて図１０において上方向に力を受けて、ストッパシャフト回転中心４３ａを中心にして反時計方向に回転する。その結果ストッパ部材３５はストッパシャフト４３から図１０において上方向に力を受けて上端が原稿台１２の上面より上方に突出する。
【００４２】
さらに、再度圧板１１を閉鎖すると第１のプランジャー４１がＯＦＦ状態となり、ストッパレバー４２を引いていた力が解除される。このためストッパ部材３５は下方に移動し、ストッパシャフト４３はストッパシャフト回転中心４３ａを中心にして時計方向に回転し、ストッパレバー４２はストッパレバー回転中心４２ａを中心にして反時計方向に回転して図９の状態に戻る。
【００４３】
これにより装置使用者がＡ４サイズ原稿３４をプラテン１３上に載置する際にストッパ部材３５に原稿３４を突き当てた後で原稿位置を微修正することが可能となり、Ａ４サイズ原稿３４をプラテン１３上の最適位置に容易にセットすることができ、かつ図９のように圧板１１閉鎖時にはストッパ部材３５は原稿台１２の上面より下方に埋没するため、Ａ４サイズ原稿３４の画像読取時にも原稿搬送を妨げることなく高品質の原稿搬送、画像読取が実現できる。
【００４４】
しかも、上述のようにストッパ部材３５の上下動は圧板１１の開閉に連動して行われるので、装置使用者は別操作を行う必要がないため、より操作性の良い構成となっている。なお図１１に示すように、本実施例においては、ストッパ部材３５は原稿幅方向に渡って複数の部材からなっており、片方の端部付近に配設したストッパレバー４２の動きによりストッパシャフト４３を、ストッパシャフト回転中心４３ａを中心にして回転させ、ストッパシャフト４３により複数のストッパ部材３５を上下動させる構成となっている。
【００４５】
次に、圧板１１の開閉に伴い、第１および第２の原稿搬送駆動ローラ１４、１５が退避する構成について説明する。本実施例に係る画像形成装置は、図４、図５、図７に示すように第１の原稿搬送駆動ローラ１４、第２の原稿搬送駆動ローラ１５の一部が原稿台１２上面から上方に突出しており、それぞれ圧板１１に配置された第１の原稿搬送従動コロ１７、第２の原稿搬送従動コロ１８により原稿３４を挟持搬送する構成となっている。一方圧板１１を開放して原稿３４をプラテン１３上に載置する場合には第１および第２の原稿搬送駆動ローラ１４、１５の全部を原稿台１２の上面より下方に埋没させる。これにより装置使用者が原稿をプラテン１３上に載置し、さらに原稿の位置を微調整する場合に、回転しない原稿搬送駆動ローラ１４、１５と原稿との摩擦力から抵抗力が発生して、原稿のセットが難しくなることを防いでいる。
【００４６】
図１２および図１３に第１の原稿搬送駆動ローラ１４の退避機構を示す。５１は第２のプランジャー、５２は駆動ローラ押圧バネ、５３はローラレバー、５３ａはローラレバー回転中心、５３ｂはローラレバー／ローラ軸受け当接部、５４はローラ軸受け、５５はローラ移動シャフト、５５ａはローラ移動シャフト回転中心である。図１２は圧板１１閉鎖時の第１の原稿搬送駆動ローラ１４の位置を示し、図１３は圧板１１開放時の第１の原稿搬送駆動ローラ１４の位置を示す。
【００４７】
まず、圧板１１閉鎖時は図１２に示すように第２のプランジャー５１がＯＦＦ状態となり、第１の原稿搬送駆動ローラ１４の一部は原稿台１２の上面より上方に突出している。第１の原稿搬送駆動ローラ１４は駆動ローラ押圧バネ５２により下方から押圧力を受け、対向する第１の原稿搬送従動コロ１７と共に原稿を挟持することにより原稿搬送力を現出している。
【００４８】
次に、圧板１１を開放すると図示しない圧板開閉センサがＯＮとなり、図示しない制御装置により第２のプランジャー５１がＯＮ状態となる。第２のプランジャー５１がＯＮ状態となると、図１３に示すように第２のプランジャー５１によりローラレバー５３が図１３において左方向に押し出され、ローラレバー５３はローラレバー回転中心５３ａを中心にして反時計方向に回転する。するとローラ軸受け５４はローラレバー／ローラ軸受け当接部５３ｂにおいて図１３において下方向に力を受けて、下方に移動する。するとローラ軸受け５４により受けられた第１の原稿搬送駆動ローラ１４は図１３において下方向に力を受けて、下方に移動し、原稿台１２上面より下方に埋没する構成となっている。
【００４９】
また、ローラ軸受け５４が下方に移動することによりローラ移動シャフト５５は図１３において下方向に力を受けて、ローラ移動シャフト回転中心５５ａを中心にして反時計方向に回転する。ここで図１４に示すように、本実施例においては、第２のプランジャー５１およびローラレバー５３は第１の原稿搬送駆動ローラ１４の片方の端部付近に配設されており、片方のローラ軸受け５４の下方への移動によりローラ移動シャフト５５がローラ移動シャフト回転中心５５ａを中心にして回転し、これにより、逆側のローラ軸受けにも下方への力が加わり、原稿幅方向にわたった第１の原稿搬送駆動ローラ１４の上下動がスムーズに作動する。
【００５０】
さらに、再度圧板１１を閉鎖すると第２のプランジャー５１がＯＦＦ状態となり、ローラレバー５３を押していた力が解除される。このため駆動ローラ押圧バネ５２のバネ力により、第１の原稿搬送駆動ローラ１４とローラ軸受け５４は上方に移動し、ローラレバー５３はローラレバー回転中心５３ａを中心にして時計方向に、ローラ移動シャフト５５はローラ移動シャフト回転中心５５ａを中心にして時計方向に回転して、図１２の状態に戻り、原稿台１２上に載置された原稿を第１の原稿搬送駆動ローラ１４と第１の原稿搬送従動コロ１７とによってしっかりと挟持する。
【００５１】
なお、上述のように原稿搬送手段である第１の原稿搬送駆動ローラ１４の原稿台１２の上面より下方への埋没および原稿台１２上面からの突出は圧板１１の開閉に連動して行われるので、装置使用者にとって別操作を行う必要がないため、より操作性の良い構成となっている。
【００５２】
また、図１２〜図１４にて、圧板１１の開閉に連動した第１の原稿搬送駆動ローラ１４の退避について説明しているが、本実施例においては、第２の原稿搬送駆動ローラ１５においても同様の構成となっている。
【００５３】
また本実施例においては、圧板１１の開閉に伴い、第１および第２のプランジャー４１、５１によりストッパレバー４２およびローラレバー５３を移動させて、ストッパ部材３５の突出／退避、第１および第２の原稿搬送駆動ローラ１４、１５の突出／退避を行っているが、プランジャーを用いずに、カムやリンク機構を用いてストッパ部材３５および原稿搬送駆動ローラ１４、１５の突出／退避を行う機構も考えられ、本実施例と同様の効果があることは明らかである。
【実施例２】
【００５４】
次に、装置使用者が原稿をプラテン上に載置し、さらに原稿の位置を微調整する場合に、回転しない原稿搬送駆動ローラと原稿との摩擦力から抵抗力が発生して、原稿のセットが難しくなることを防ぐ第２の実施例について説明する。
【００５５】
図１５、１６は本実施例に係る画像形成装置の原稿搬送駆動手段としての第１の原稿搬送駆動系の断面図であり、図１５は圧板１１閉鎖時、図１６は圧板１１開放時の断面図である。図１５、１６を用いて、圧板１１の開閉に伴い、第１の原稿搬送駆動ローラ１４への駆動力の遮断／伝達が行われる構成について説明する。
【００５６】
図１５、１６において、６１は第１の原稿搬送駆動ローラ１４の軸上に配置された第１の原稿搬送駆動ローラ出力ギアであり、６２は連結ギア、６３は太陽ギア、６４は太陽ギア６３の回りを歯号しながら回動する遊星ギア、６５は太陽ギア６３と遊星ギア６４の中心を連結している振り子レバー、６６は第３のプランジャーである。まず、圧板１１閉鎖時は図１５に示すように第３のプランジャー６６はＯＦＦ状態となっている。太陽ギア６３は図示しない原稿搬送駆動手段としての原稿搬送駆動源から駆動力を伝達され、図１５の矢印方向（時計方向）に回転する。遊星ギア６４は図１５の矢印方向（反時計方向）に回転しながら太陽ギア６３の周りを図１５において時計方向に回動して連結ギア６２に当接したところで回動を停止する。
【００５７】
連結ギア６２は図１５の矢印方向（時計方向）に回転し、第１の原稿搬送駆動ローラ出力ギア６１は図１５の矢印方向（反時計方向）に回転する。第１の原稿搬送駆動ローラ１４は第１の原稿搬送駆動ローラ出力ギア６１と一体となって図１５において反時計方向に回転して、原稿搬送動作が行われる。次に、圧板１１を開放すると図示しない圧板開閉センサがＯＮとなり、図示しない制御手段により第３のプランジャー６６がＯＮ状態となる。
【００５８】
第３のプランジャー６６がＯＮ状態となると、図１６に示すように第３のプランジャー６６により振り子レバー６５が図１６において左方向に引っ張られ、振り子レバー６５および遊星ギア６４は、太陽ギア６３の回転中心を中心にして反時計方向に回動する。これにより遊星ギア６４と連結ギア６２が離間する。装置使用者は、第１の原稿搬送駆動ローラ１４を回転させようとするとき、遊星ギア６４と連結ギア６２が離間しているため、負荷なく回転させることが可能である。このため装置使用者が原稿をプラテン１３上に載置し、さらに原稿の位置を微調整する場合に、原稿搬送駆動ローラ１４と原稿との摩擦力から抵抗力が発生して、原稿のセットが難しくなることを防いでいる。
【００５９】
さらに、再度圧板１１を閉鎖すると第３のプランジャー６６がＯＦＦ状態となり、振り子レバー６５を引いていた力が解除される。これにより太陽ギア６３が図１５の矢印方向（時計方向）に回転すると、遊星ギア６４が太陽ギア６３の周りを回動して連結ギア６２に当接し、駆動源の駆動力が再び第１の原稿搬送駆動ローラ出力ギア６１に伝達されて第１の原稿搬送駆動ローラ１４が回転する。
【００６０】
なお、上述のように原稿搬送駆動源から原稿搬送手段である第１の原稿搬送駆動ローラ１４への駆動力の遮断および伝達は圧板１１の開閉に連動して行われるので、装置使用者にとって別操作を行う必要がなく、より操作性の良い構成となっている。また、図１５、図１６にて、圧板１１の開閉に連動した第１の原稿搬送駆動ローラ１４への駆動力の遮断／伝達について説明しているが、本実施例においては、第２の原稿搬送駆動ローラ１５においても同様の構成となっている。
【００６１】
また本実施例においては、圧板１１の開閉に伴い第３のプランジャーにより振り子レバー６５を移動させて、第１の原稿搬送駆動ローラ１４への駆動力の遮断／伝達を行っているが、本実施例の構成以外に、カムやリンク機構を用いて駆動力の遮断／伝達を行う機構も考えられ、本実施例と同様の効果があることは明らかである。
【実施例３】
【００６２】
次に、装置使用者が原稿をプラテン１３上に載置し、さらに原稿の位置を微調整する場合に、回転しない原稿搬送駆動ローラと原稿との摩擦力から抵抗力が発生して、原稿のセットが難しくなることを防ぐ第３の実施例について説明する。
【００６３】
図１７〜２０は本実施例に係る画像形成装置を説明した図である。図１７、図１８は第１の原稿搬送駆動ローラ１４近傍およびヒンジレバー７３近傍の構成を示した概略斜視図であり、図１７は圧板１１閉鎖時の概略斜視図、図１８は圧板１１開放時の概略斜視図である。図１９、図２０は第１の原稿搬送駆動ローラ１４近傍の構成を示した側面図（図１７、図１８における矢印B方向からの側面図）であり、図１９は圧板１１閉鎖時の側面図、図２０は圧板１１開放時の側面図である。
【００６４】
図１７〜図２０を用いて、圧板１１の開閉に伴い、第１の原稿搬送駆動ローラ１４の遮蔽／露出が行われる構成について説明する。７１は、第１の原稿搬送駆動ローラ１４の軸中心を回転中心として、第１の原稿搬送駆動ローラ１４に対して回動自在に取り付けられたカバー部材としてのローラカバー部材であり、７２はローラカバーレバーであり、７２ａはローラカバーレバー回転中心、７２ｂはローラカバー／ローラカバーレバー当接部である。７３は圧板１１に取り付けられたヒンジレバーである。まず、圧板１１閉鎖時は図１７に示すようにヒンジレバー７３とローラカバーレバー７２は離間しており、ローラカバー／ローラカバーレバー当接部７２ｂは図１９に示すように原稿台１２の上面に対してかなり下方の位置にある。このためローラカバー部材７１は原稿台１２の上面より下方に埋没しており、第１の原稿搬送駆動ローラ１４は露出状態となっている。
【００６５】
次に、圧板１１を開放すると図１８に示すようにヒンジレバー７３が圧板１１の回転中心を中心にして回転して、ローラカバーレバー７２に当接してさらにローラカバーレバー７２を押し上げる。すると図２０に示すようにローラカバーレバー７２はローラカバーレバー回転中心７２ａを中心にして図２０の矢印方向に回転する。すると、ローラカバー部材７１はローラカバー／ローラカバーレバー当接部７２ｂから力を受けて、第１の原稿搬送駆動ローラ１４の軸中心を回転中心として図２０の矢印方向に回動し、原稿台１２上面より上方に現れる。そして第１の原稿搬送駆動ローラ１４を覆い隠す構成となっている。
【００６６】
このように、圧板１１を開放したときに、ローラカバー部材７１が第１の原稿搬送駆動ローラ１４を遮蔽するため、装置使用者が原稿をプラテン１３上に載置し、さらに原稿の位置を微調整する場合に、原稿搬送駆動ローラ１４と原稿との摩擦力から抵抗力が発生して、原稿のセットが難しくなることを防いでいる。さらに、再度圧板１１を閉鎖すると図１７に示すようにヒンジレバー７３とローラカバーレバー７２は離間する。すると図１９に示すように、ローラカバーレバー７２は自重または図示しない何らかの付勢力によりローラカバーレバー回転中心７２ａを中心にして、ローラカバー／ローラカバーレバー当接部７２ｂが原稿台１２の上面に対して下方に移動する方向に回転する。
【００６７】
するとローラカバー部材７１は自重または図示しない何らかの付勢力により第１の原稿搬送駆動ローラ１４の軸中心を回転中心として回動して、原稿台１２の上面より下方に埋没する。すると第１の原稿搬送駆動ローラ１４は露出状態となり、良好な原稿搬送が可能となる。なお、上述のように原稿搬送手段である第１の原稿搬送駆動ローラ１４の遮蔽および露出は圧板１１の開閉に連動して行われるので、装置使用者にとって別操作を行う必要がないため、より操作性の良い構成となっている。また、図１７〜図２０にて、圧板１１の開閉に連動した第１の原稿搬送駆動ローラ１４の遮蔽／露出について説明しているが、本実施例においては、第２の原稿搬送駆動ローラ１５においても同様の構成となっている。
【００６８】
以上説明したように、上記実施例１ないし３に係る画像形成装置によれば、画像形成装置本体の小型化を実現しつつ、小型軽量の圧板と簡単な構成の原稿搬送系によりプラテンサイズよりも大きなサイズの原稿画像を読み取ることができる。その結果、画像形成装置全体の設置面積を小さくすることができる。
【００６９】
また、装置使用者が原稿をプラテン上に載置し、さらに原稿の位置を微調整する場合に、停止した原稿搬送駆動ローラと原稿との摩擦力から抵抗力が発生することなく、原稿のセットを容易に行うことができる。
【００７０】
さらに、原稿搬送手段の突出および退避の操作性をさらに向上させることができる。
【００７１】
さらにまた、原稿搬送駆動源から原稿搬送手段への駆動力の伝達の遮断および連結の操作性をさらに向上させることができる。
【００７２】
加えて、原稿を搬送する前に読み取った画像と、原稿を搬送させた後に読み取った画像を精度良く合成することができる。
【図面の簡単な説明】
【００７３】
【図１】実施例１に係る画像形成装置の全体斜視図
【図２】画像形成部の概略断面図
【図３】画像形成部の平面断面図
【図４】画像読取部の原稿を移動させない場合の概略断面図
【図５】原稿を移動させる場合の移動前の画像読取部の概略断面図
【図６】原稿を移動させる場合の移動前の画像読取部の平面図
【図７】原稿を移動させる場合の移動後の画像読取装部の概略断面図
【図８】原稿を移動させる場合の移動後の画像読取部の平面図
【図９】圧板閉鎖時のストッパ部材周りの断面図
【図１０】圧板開放時のストッパ部材周りの断面図
【図１１】ストッパ部材周りの概略斜視図
【図１２】圧板閉鎖時の第１の原稿搬送駆動ローラ周りの断面図
【図１３】圧板開放時の第１の原稿搬送駆動ローラ周りの断面図
【図１４】第１の原稿搬送駆動ローラ周りの概略斜視図
【図１５】実施例２に係る画像形成装置の圧板閉鎖時の第１の原稿搬送駆動系の断面図
【図１６】圧板開放時の第１の原稿搬送駆動系の断面図
【図１７】実施例３に係る画像形成装置の圧板閉鎖時の第１の原稿搬送駆動ローラ周りの概略斜視図
【図１８】圧板開放時の第１の原稿搬送駆動ローラ周りの概略斜視図
【図１９】圧板閉鎖時の第１の原稿搬送駆動ローラ周りの概略断面図
【図２０】圧板開放時の第１の原稿搬送駆動ローラ周りの概略断面図
【符号の説明】
【００７４】
１  画像読取部（画像読取手段に対応）
２  画像形成部（画像形成手段に対応）
１１  圧板
１２  原稿台
１３  プラテン
１４  第１の原稿搬送駆動ローラ（原稿搬送手段に対応）
１５  第２の原稿搬送駆動ローラ（原稿搬送手段に対応）
２４  記録紙（記録媒体に対応）
２６  記録紙搬送ローラ対（記録媒体搬送手段に対応）
２８  インクジェット記録ヘッド（画像形成体に対応）
３３  読取装置（画像読取体に対応）
３４  原稿
【図１】
2006217352.tif 000003
【図２】
2006217352.tif 000004
【図３】
2006217352.tif 000005
【図４】
2006217352.tif 000006
【図５】
2006217352.tif 000007
【図６】
2006217352.tif 000008
【図７】
2006217352.tif 000009
【図８】
2006217352.tif 000010
【図９】
2006217352.tif 000011
【図１０】
2006217352.tif 000012
【図１１】
2006217352.tif 000013
【図１２】
2006217352.tif 000014
【図１３】
2006217352.tif 000015
【図１４】
2006217352.tif 000016
【図１５】
2006217352.tif 000017
【図１６】
2006217352.tif 000018
【図１７】
2006217352.tif 000019
【図１８】
2006217352.tif 000020
【図１９】
2006217352.tif 000021
【図２０】
2006217352.tif 000022